(57)【要約】【課題】多機能ポータブル消火器ケースと多機能ポータブル消火器とを具備して非常時または火事の時に対処することができる多機能ポータブル消火器システムを提供する。【解決手段】内部に装着した消化液容器の消化液を、トリガーを利用して噴射部を通じて外部へ噴射させるようにピストル形象を持つ多機能ポータブル消火器と、内装するハウジングと、前記ハウジングに内装した多機能ポータブル消火器を保護する保護カバーとを含む多機能ポータブル消火器ケースとで構成し、前記ハウジングは、温度、ガス、煙、及び停電を感知して第１感知データを生成する第１センサー部と、前記多機能ポータブル消火器との近距離無線通信を遂行する第１近距離無線通信部とで構成し、前記保護カバーは、前記第１センサー部から感知した温度、ガス、煙及び停電に対する危険水位を表示する第１表示部と、前記ハウジングから保護カバーを分離して開閉するロック調節部とを含むことを特徴とする。【選択図】図１
2012513863.tif 000002
【特許請求の範囲】
【請求項１】
内部に装着した消化液容器の消化液をトリガーを利用して噴射部を通じて外部へ噴射させるようにピストル形象を持つ多機能ポータブル消火器と、多機能ポータブル消火器を内装するハウジングと、前記ハウジングに内装した多機能ポータブル消火器を保護する保護カバーとを含む多機能ポータブル消火器ケースとで構成し、
前記多機能ポータブル消火器ケースのハウジングは、温度、ガス、煙、及び停電を感知して第１感知データを生成する第１センサー部と、前記多機能ポータブル消火器との近距離無線通信を遂行する第１近距離無線通信部とで構成され、
前記多機能ポータブル消火器ケースの保護カバーは、前記第１センサー部から感知した温度、ガス、煙及び停電に対する危険水位を表示する第１表示部と、前記ハウジングから保護カバーを分離して開閉するロック調節部とを含むことを特徴とする多機能ポータブル消火器システム。
【請求項２】
前記多機能ポータブル消火器ケースは、前記第１センサー部から感知した温度、ガス、煙及び停電に対する危険水位に対する警告音及び要請音声信号を外部に出力する音声出力部をさらに含むことを特徴とする請求項１に記載の多機能ポータブル消火器システム。
【請求項３】
前記多機能ポータブル消火器ケースは、第１センサー部、第１近距離無線通信部及び第１表示部を制御する第１制御部と、前記多機能ポータブル消火器ケースの位置を表示する照明部とをさらに含むことを特徴とする請求項１に記載の多機能ポータブル消火器システム。
【請求項４】
前記多機能ポータブル消火器ケースは、警告音及び警告音声を音声出力部へ送り出すための命令を伝達する第１非常ボタンをさらに含むことを特徴とする請求項１に記載の多機能ポータブル消火器システム。
【請求項５】
前記多機能ポータブル消火器は、
前記ポータブル消火器ケースの第１近距離無線通信部と近距離無線通信を遂行する第２近距離無線通信部と、
前記多機能ポータブル消火器内側に具備して温度、ガス、煙及び停電を感知して第２感知データを生成する第２センサー部と、
前記温度、ガス、煙及び停電に対する危険水位を表示する第２表示部と、
危険状況を知らせるために非常データを生成する第２非常ボタン部と、
前記温度、ガス、煙及び停電に対する危険水位を赤外線を通じて表示する赤外線表示部と、
前記第２近距離無線通信部、第２センサー部及び第２非常ボタン部の中で少なくとも一つ以上から受けた受信データによって前記第２表示部及び赤外線表示部に出力するように制御する第２制御部と、
を含むことを特徴とする請求項１に記載の多機能ポータブル消火器システム。
【請求項６】
前記多機能ポータブル消火器は、あらかじめ保存された住所情報を公共機関のサーバーまたはあらかじめ設定された端末機へ送る送受信部をさらに含むことを特徴とする請求項５に記載の多機能ポータブル消火器システム。
【請求項７】
前記多機能ポータブル消火器は、温度、ガス、煙及び停電によって陰イオンを発生させるための陰イオン発生装置をさらに含むことを特徴とする請求項５に記載の多機能ポータブル消火器システム。
【請求項８】
前記第２非常ボタン部の入力により多機能ポータブル消火器はＡＣからＤＣで切り替えて作動することを特徴とする請求項５に記載の多機能ポータブル消火器システム。
【請求項９】
前記多機能ポータブル消火器は、前記第２センサー部から感知した温度、ガス、煙及び停電に対する危険水位に対する警告音及び要請音声信号を外部に出力する音声出力部をさらに含むことを特徴とする請求項５に記載の多機能ポータブル消火器システム。
【請求項１０】
前記前記多機能ポータブル消火器は、外部本体に第２表示部と音声出力部を受動で動作させるための受動スィッチを具備し、前記受動スィッチは、前記外部本体内部に内装したバッテリーの電源によって動作して第２表示部の明りを照射し、前記音声出力部のスピーカーを通じて危険を知らせるように構成したことを特徴とする請求項５に記載の多機能ポータブル消火器システム。
【発明の詳細な説明】
【技術分野】
【０００１】
本発明は多機能ポータブル消火器ケースと多機能ポータブル消火器とを具備して非常時または火事の時に対処することができる多機能ポータブル消火器システムに関する。
【背景技術】
【０００２】
一般的に、消火器は、燃える物質、酸素、火が出る温度（発火点）、からなる火が起こる条件の中で酸素を遮断し、特殊な消化薬剤で温度を下げるようにすることであり、このような消火器には、粉末消火器、二酸化炭素消火器、ハロゲン消火器などがある。
【０００３】
このような消火器の使い方は、使用者が安全ピンをとり除いた後、ホースを火が起こった所に向け、取っ手を強く握り締めた状態で、火が起こった所へ消火器液を吹いて初期火事を鎭圧する。
【０００４】
しかし、このように構成された従来の消火器は、携帯が可能な位の大きさで提供されず、家や車などの目によく目立つ所に備えるが、非常時、特に夜間にはその位置に対する確認が容易ではなく、安全ピンを抜くなどの使用手続きが複雑でまともに使用ができないし、これによって初期火事の鎭圧に失敗して大事な人命及び財産上の損害を被るようになるなどの問題点があり、また、火事の鎭圧用だけの使用が可能なので、多様な機能を具備することができないなどの問題点が発生している。
【０００５】
また、従来の消火器は、単に消化の用途で使用され、空気浄化と他のサーバー及び端末との連動を考慮しなくて単純な道具に過ぎない限界があった。
【発明の概要】
【発明が解決しようとする課題】
【０００６】
したがって、本発明は、前記のような従来の問題に鑑みなされたもので、本発明の目的は、消火器、照明燈、警報器機能を具備し、夜間にその位置が容易に確認できるように構成し、初期火事の鎭圧及び個人護身用に使うことができる多機能ポータブル消火器システムを提供することにある。
【０００７】
本発明の他の目的は、非常時または火事の際、ＡＣからＤＣに動作転換して非常電源により充電された照明部に火が点燈され、同時に機関のサーバーや他の端末機へ非常及び火事状況を知らせるための多機能ポータブル消火器システムを提供することにある。
【０００８】
本発明のさらに他の目的は、陰イオン発生装置を装着して血液浄化、抵抗力増加、自律神経系調節、空気浄化、ほこり除去及び殺菌作用を遂行するポータブル消火器システムを提供することにある。
【０００９】
本発明のさらに他の目的は、受動スィッチを具備して使用者が直接緊急状況を知らせるように構成したポータブル消火器システムを提供することにある。
【課題を解決するための手段】
【００１０】
前記本発明の目的を円滑に果たすための多機能ポータブル消火器システムは、内部に装着した消化液容器の消化液を、トリガーを利用して噴射部を通じて外部へ噴射させるようにピストル形象を持つ多機能ポータブル消火器と、多機能ポータブル消火器を内装するハウジングと、前記ハウジングに内装した多機能ポータブル消火器を保護する保護カバーとを含む多機能ポータブル消火器ケースとで構成し、前記多機能ポータブル消火器ケースのハウジングは、温度、ガス、煙、及び停電を感知して第１感知データを生成する第１センサー部と、前記多機能ポータブル消火器との近距離無線通信を遂行する第１近距離無線通信部とで構成され、前記多機能ポータブル消火器ケースの保護カバーは、前記第１センサー部から感知した温度、ガス、煙及び停電に対する危険水位を表示する第１表示部と、前記ハウジングから保護カバーを分離して開閉するロック調節部とを含むことを特徴とする。
【００１１】
前記特徴による多機能ポータブル消火器システムの前記多機能ポータブル消火器ケースは、前記第１センサー部から感知した温度、ガス、煙及び停電に対する危険水位に対する警告音及び要請音声信号を外部に出力する音声出力部をさらに含むことを特徴とする。
【００１２】
前記特徴による多機能ポータブル消火器システムの前記多機能ポータブル消火器ケースは、第１センサー部、第１近距離無線通信部及び第１表示部を制御する第１制御部と、前記多機能ポータブル消火器ケースの位置を表示する照明部とをさらに含むことを特徴とする。
【００１３】
前記特徴による多機能ポータブル消火器システムの前記多機能ポータブル消火器ケースは、警告音及び警告音声を音声出力部へ送り出すための命令を伝達する第１非常ボタンをさらに含むことを特徴とする。  
【００１４】
前記特徴による多機能ポータブル消火器システムの前記多機能ポータブル消火器は、前記ポータブル消火器ケースの第１近距離無線通信部と近距離無線通信を遂行する第２近距離無線通信部と、前記多機能ポータブル消火器内側に具備して温度、ガス、煙及び停電を感知して第２感知データを生成する第２センサー部と、前記温度、ガス、煙及び停電に対する危険水位を表示する第２表示部と、危険状況を知らせるために非常データを生成する第２非常ボタン部と、前記温度、ガス、煙及び停電に対する危険水位を赤外線を通じて表示する赤外線表示部と、前記第２近距離無線通信部、第２センサー部及び第２非常ボタン部の中で少なくとも一つ以上から受けた受信データによって前記第２表示部及び赤外線表示部に出力するように制御する第２制御部と、を含むことを特徴とする。
【００１５】
前記特徴による多機能ポータブル消火器システムの前記多機能ポータブル消火器は、あらかじめ保存された住所情報を公共機関のサーバーまたはあらかじめ設定された端末機へ送る送受信部をさらに含むことを特徴とする。
【００１６】
前記特徴による多機能ポータブル消火器システムの前記多機能ポータブル消火器は、温度、ガス、煙及び停電によって陰イオンを発生させるための陰イオン発生装置をさらに含むことを特徴とする。
【００１７】
前記特徴による多機能ポータブル消火器システムの前記第２非常ボタン部の入力により多機能ポータブル消火器はＡＣからＤＣに切り替えて作動することを特徴とする。
【００１８】
前記特徴による多機能ポータブル消火器システムの前記多機能ポータブル消火器は、前記第２センサー部から感知した温度、ガス、煙及び停電に対する危険水位に対する警告音及び要請音声信号を外部に出力する音声出力部をさらに含むことを特徴とする。
【００１９】
前記特徴による多機能ポータブル消火器システムの前記前記多機能ポータブル消火器は、外部本体に第２表示部と音声出力部を受動で動作するための受動スィッチを具備し、前記受動スィッチは、前記外部本体内部に内装したバッテリーの電源によって動作して第２表示部の明りを照射し、前記音声出力部のスピーカーを通じて危険を知らせるように構成したことを特徴とする。
【発明の効果】
【００２０】
このような本発明の特徴によれば、消火器、照明燈、警報器機能を具備し、夜間にその位置を易しく確認するように構成して初期火事の鎭圧及び個人護身用で使うことができる效果がある。
【００２１】
また、非常時または火事の際、ＡＣからＤＣに動作転換して非常電源により充電された照明部に火が点燈され、同時に機関のサーバーや他の端末機へ非常及び火事状況を知らせる效果がある。
【００２２】
また、陰イオン発生装置を装着して血液浄化、抵抗力増加、自律神経系調節、空気浄化、ほこり除去及び殺菌作用を遂行する效果がある。
【００２３】
また、受動スィッチを具備して使用者が直接緊急状況を知らせる效果がある。  
【図面の簡単な説明】
【００２４】
【図１】本発明の実施例による多機能ポータブル消火器ケースを示す斜視図である。
【図２】本発明の実施例による多機能ポータブル消火器ケースを示す分離斜視図である。
【図３】本発明の実施例による多機能ポータブル消火器ケースを示すブロック図である。
【図４】本発明の実施例による多機能ポータブル消火器を示す斜視図である。
【図５】本発明の実施例による多機能ポータブル消火器を示すブロック図である。
【図６】本発明の実施例による多機能ポータブル消火器を受動で動作させるためのスィッチの構成図である。
【発明を実施するための形態】
【００２５】
前記のような本発明の実施例を、添付した図面を参照して詳しく説明するが、本発明による多機能ポータブル消火器システムは、多機能ポータブル消火器ケースと多機能ポータブル消火器とで構成するので、それぞれについて説明する。
【００２６】
図１は本発明の実施例による多機能ポータブル消火器ケースを示す  斜視図であり、図２は本発明の実施例による多機能ポータブル消火器ケースを示す分離斜視図であり、図３は本発明の実施例による多機能ポータブル消火器ケースを示すブロック図である。
【００２７】
図１ないし図３に図示したように、多機能ポータブル消火器ケース１００は、大きくハウジング１１０ａと保護カバー１１０ｂとで構成し、ハウジング１１０ａの外形は多角形の形象で一側端に開口部１１１を形成し、開口部１１１内にホルダー１１２を形成して多機能ポータブル消火器２００を支え、保護カバー１１０ｂは多機能ポータブル消火器２００を支えたハウジング１１０ａの一側端に締結して支持された多機能ポータブル消火器２００を外部から保護する。
【００２８】
前記ハウジング１１０ａの内部は、第１センサー部１２０、第１近距離無線通信部１３０、第１制御部１４０及び音声出力部１５０で構成され、前記保護カバー１１０は、照明部１６０、第１表示部１７０、第１非常ボタン部１８０及びロック（ｌｏｃｋ）調節部１９０で構成される。
【００２９】
ここで、第１センサー部１２０は、温度、ガス、煙及び停電を感知して第１感知データを生成する。この時、前記第１感知データが温度、ガス、煙及び停電の既に設定されている基準を越せば、  第１センサー部１２０は、危険と判断して第１危険データを生成する。
【００３０】
ここで、第１近距離無線通信部１３０は、多機能ポータブル消火器と近距離無線通信を遂行する。
【００３１】
ここで、音声出力部１５０は、前記第１センサー部１２０から感知した温度、ガス、煙及び停電に対する危険水位の警告音及び要請音声信号を外部に出力する。
【００３２】
ここで、第１制御部１４０は、第１センサー部１２０、第１近距離無線通信部１３０、第１表示部１７０及び音声出力部１５０を制御する。
【００３３】
より詳細には、第１制御部１４０は、第１センサー部１２０から感知した第１感知データを第１近距離無線通信部１３０を通じて多機能ポータブル消火器へ送るように制御する。
【００３４】
また、第１制御部１４０は、第１センサー部１２０から感知した第１感知データによって判断された第１危険データをあらかじめ保存している基準による危険水位段階別に保護カバーに形成された第１表示部１７０に出力するように制御する。
【００３５】
さらに、第１制御部１４０は、第１センサー部１２０から感知した第１感知データにより危険水位に対する警告音及びあらかじめ保存している要請音声信号を音声出力部１５０を通じて外部に出力するように制御する。
【００３６】
例えば、音声出力部は、“ウェング〜〜〜〜  我家は００同００号です。緊急な状況です。手伝ってください”のように、警告音とあらかじめ保存している要請音声信号を一定時間の間、少なくとも一つを繰り返し出力する。
【００３７】
ここで、前記照明部１６０は、保護カバーの縁に沿って多数のＬＥＤで形成し、夜間にポータブル消火器ケースの位置を識別するのが可能になる。この時、前記照明部１６０であるＬＥＤは照度が少なくとも６ｌｕｘ  以上を維持するのが望ましく、前記ＬＥＤの色相は可変が可能である。
【００３８】
ここで、前記第１表示部１７０は、第１センサー部１２０から感知した温度、ガス、煙及び停電に対する危険水位を表示し、例えば第１表示部１７０の動作は次のようである。
【００３９】
危険水位状態によって快適な場合、青色で、  注意が必要ならば黄色で、危険状態なら赤色で表示できるが、前記決まった色相に限定せずに可変的である。
【００４０】
ここで、前記第１非常ボタン部１８０は、第１表示部１７０と接した位置に形成して第１表示部１７０の状況によって危険状態を音声出力部１５０を通じて出力するように伝達する。
【００４１】
ここで、前記ロック調節部１９０は、ハウジング１１０ａから保護カバー１１０ｂを分離して開閉する。
【００４２】
前記ロック調節部１９０は、多機能ポータブル消火器ケース内部の特定位置に前記多機能ポータブル消火器２００を固定設置して多機能ポータブル消火器２００のロッキング（ｌｏｃｋｉｎｇ）を遂行し、危険水位によって開閉されるようにする。
【００４３】
この時、ロック調節部１９０は、危険水位と無関係に開閉することができるし、危険水位による開閉可否は限定しない。
【００４４】
よって、多機能ポータブル消火器ケース１００は、内部の多機能ポータブル消火器２００の有無と関係なく、火事などによる熱、ガス、煙及び停電が発生すれば、現在状態を表示する第１表示部１７０と照明部１６０を通じて発光させることによって、火事に迅速に対処するようにして生命を保護することができる。
【００４５】
図４は本発明の実施例による多機能ポータブル消火器を示す斜視図であり、図５は本発明の実施例による多機能ポータブル消火器を示すブロック図である。
【００４６】
図４及び図５に図示したように、本発明による多機能ポータブル消火器  ２００の外形的な構成は、内部に装着した消化液容器２１１の消化液をトリガー２１３を利用して噴射部２１２を通じて外部へ噴射させるようにピストル形象を持つ外部本体２１０を持つ。この時、外部本体２１０の下端部には多機能ポータブル消火器２００を安全に支持するように折れることと開くことが可能な三角台２００ａを具備する。
【００４７】
ここで、前記消化液容器２１１の消化液は、本発明実施例の場合、清浄消化剤であるＮａＦ３を使用し、必要によって多様な消化液を消化液容器２１１内部に充填した後、これを噴射して初期火事鎭圧用で使うようにする。
【００４８】
また、消化液代りに催涙ガスなどを消化液容器２１１内部に充填して護身用でも使うことができる。
【００４９】
前記噴射部２１２の下部から赤外線表示部２５０及び第２表示部２４０の順序に配置されるが、その順序は可変的である。前記噴射部２１２の後面に第２非常ボタン部２７０を具備する。
【００５０】
前記第２表示部２４０は、外部本体２１０の全面に突き出すように固定された円筒状のケース中央にＬＥＤで構成される。
【００５１】
このようなＬＥＤは、夜間にポータブル消火器の位置を識別することができるように多数のＬＥＤ素子で構成され、基板に挿入固定されて照度が少なくとも６ｌｕｘ以上を維持するのが望ましい。
【００５２】
一方、前記第２表示部２４０は、多様な図形及び文字などで表現するように配置及び構成するか、または、色を多様に構成して多様な演出ができる。
【００５３】
前記赤外線表示部２５０は、第２表示部２４０の上端に具備されて第２表示部２４０とともに危険事項を外部に通知し、赤外線で表示する。
【００５４】
前記第２非常ボタン部２７０は、危険状況を知らせるために非常データを生成する。この時、前記非常データは、あらかじめ保存された住所情報を含む。
【００５５】
以下、第２表示部２４０、赤外線表示部２５０及び第２非常ボタン部２７０をまた説明する事にする。
【００５６】
本発明による実施例の多機能ポータブル消火器２００の内部は、第２近距離無線通信部２３０、第２センサー部２２０、第２表示部２４０、第２非常ボタン部２７０、陰イオン発生装置２９０、音声出力部３００、赤外線表示部２５０、送受信部２８０及び第２制御部２６０で構成する。
【００５７】
ここで、前記第２近距離無線通信部２３０は、多機能ポータブル消火器ケース１００の第１センサー部１２０から感知した第１感知データを第１近距離無線通信部１３０を通じて受信して第２制御部２６０へ送る。
【００５８】
ここで、前記第２センサー部２２０は、多機能ポータブル消火器２００の外部に対する温度、ガス、煙、停電を感知して第２感知データを生成して第２制御部２６０へ送る。この時、前記第２感知データは、温度、ガス、煙及び停電の既に設定されている基準を越せば、危険と判断して第２危険データを生成する。
【００５９】
ここで、前記第２表示部２４０は、第２制御部２６０の制御によって夜間に多機能ポータブル消火器２００の位置識別が可能になるように多様な色を具現可能で多様な演出をする機能を遂行し、前記第２危険データによる温度、ガス、煙及び停電に対する危険水位を多様な色の光で表示する。
【００６０】
ここで、前記第２非常ボタン部２７０は、強盗、泥棒、患者発生の時、入力することができるし、前記入力によって第２制御部２６０へ非常データが送信される。また、前記第２非常ボタン部２７０の入力により多機能ポータブル消火器２００はＡＣからＤＣに切り替えて作動する。
【００６１】
ここで、前記陰イオン発生装置２９０は、第２制御部２６０の制御によって第２センサー部２２０から感知した多機能ポータブル消火器２００の外部に対するガス、煙及び停電を感知して第２感知データによって陰イオン発生が必要であると判断した場合、作動する。
【００６２】
ここで、前記音声出力部３００は、第２センサー部２２０から感知した温度、ガス、煙及び停電に対する危険水位の警告音及び要請音声信号を外部に出力する。
【００６３】
ここで、第２制御部２６０は、第２センサー部２２０、第２近距離無線通信部２３０、第２表示部２４０、及び音声出力部３００を制御し、また第２センサー部２２０から感知した第２感知データによって判断された第２危険データを危険水位に対する警告音及びあらかじめ保存している要請音声信号を音声出力部３００を通じて外部に出力するように制御する。
【００６４】
例えば、音声出力部３００では  “ウェング〜〜〜〜  我家は００同００号です。緊急な状況です。手伝ってください。”のように、警告音とあらかじめ保存している要請音声信号を一定時間の間、少なくとも一つを繰り返し出力する。
【００６５】
ここで、前記赤外線表示部２５０は、第２制御部２６０の制御によって第２近距離無線通信部２３０を通じて第１感知データを受信するか、または、第２センサー部２２０を通じて第２感知データを受信して既に設定されているデータ範囲内にない場合、赤外線を通じて外部へ知らせる。
【００６６】
また、前記赤外線表示部２５０は、第２制御部２６０が受信したデータによって非常状況を赤外線を通じて外部に知らせるのに使うこともできる。
【００６７】
ここで、前記送受信部２８０は、第２制御部２６０へ伝達した非常データ、すなわちあらかじめ保存された住所情報を公共機関のサーバーまたはあらかじめ設定された移動端末機へ送る。
【００６８】
ここで、前記第２制御部２６０は、第２近距離無線通信部２３０、第２センサー部２２０、第２非常ボタン部２７０から受けた受信データによって第２表示部２４０  及び赤外線表示部２５０に出力するように制御する。
【００６９】
この時、前記第２制御部２６０は、第１近距離無線通信部１３０から第１感知データを受信するように第２近距離無線通信部２３０を制御し、危険水位によって第２表示部２４０と赤外線表示部２５０へ出力するが、これは多機能ポータブル消火器２００を多機能ポータブル消火器ケース１００から分離する場合、多機能ポータブル消火器ケース１００が具備された地域の危険情報を把握して迅速に対処するためである。
【００７０】
また、前記第２制御部２６０は、多機能ポータブル消火器２００の第２センサー部２３０から感知した第２感知データによる第２危険データの危険水位によって第２表示部２４０、赤外線表示部２５０及び音声出力部３００に出力するように制御する。
【００７１】
さらに、第２制御部２６０は、第２センサー部２２０が感知した多機能ポータブル消火器２００の外部に対する温度、ガス、煙、及び停電を感知して第２感知データによって陰イオン発生が必要であると判断した場合、陰イオン発生装置２９０に命令を付与して陰イオンを発生させる。
【００７２】
本発明の実施例による多機能ポータブル消火器ケース１００及び多機能ポータブル消火器２００は連動して使うことができるし、それぞれ独立的に使うことができる。
【００７３】
一方、図６は本発明の実施例による多機能ポータブル消火器を受動で動作させるためのスィッチの構成図である。
【００７４】
図示したように、本発明による多機能ポータブル消火器２００の外部本体２１０には第２表示部２４０と音声出力部３００とを受動で動作させるための受動スィッチ３２０を具備する。
【００７５】
前記受動スィッチ３２０は、外部本体２１０内部に分離が可能に内装したバッテリー３４０の電源によって動作して第２表示部２４０を構成するＬＥＤを通じて多様な色の明りを照射し、音声出力部３００を構成するスピーカーを通じて危険事項を速かに知らせるように構成する。
【００７６】
以上で説明したものは、本発明による多機能ポータブル消火器システムを実施するための一つの実施例に過ぎないものであり、当該発明が属する分野で通常の知識を有する者は誰でも、前記一実施例に限定されずに、特許請求範囲で請求する本発明の要旨を逸脱しない範囲で、多様な変更実施が可能である。
【符号の説明】
【００７７】
１００  多機能ポータブル消火器ケース  
１１０ａ  ハウジング（ｈｏｕｓｉｎｇ）  
１１０ｂ  保護カバー  
１１１  開口部（ｏｐｅｎｉｎｇ  ｐｏｒｔｉｏｎ）
１１２  ホルダー（ｈｏｌｄｅｒ）
１２０  第１センサー部
１３０  第１近距離無線通信部  
１４０  第１制御部
１５０  音声出力部  
１６０  照明部
１７０  第１表示部  
１８０  第１非常ボタン部
１９０  ロック（ｌｏｃｋ）調節部  
２００  多機能ポータブル消火器
２１０  外部本体  
２１１  消化液容器
２１２  噴射部
２１３  トリガー
２２０  第２センサー部  
２３０  第２近距離無線通信部
２４０  第２表示部  
２５０  赤外線表示部
２６０  第２制御部  
２７０  第２非常ボタン部
２８０  送受信部  
２９０  陰イオン発生装置
３００  音声出力部  
３２０  受動スィッチ
３４０  バッテリー    
【図１】
2012513863.tif 000003
【図２】
2012513863.tif 000004
【図３】
2012513863.tif 000005
【図４】
2012513863.tif 000006
【図５】
2012513863.tif 000007
【図６】
2012513863.tif 000008
【国際調査報告】
2012513863.tif 000009
2012513863.tif 000010
2012513863.tif 000011
2012513863.tif 000012